(57)【要約】【課題】六角ナットと一体となったガスエンドカバーにガスプラグを溶接する場合にガスプラグの位置を決める冶具が不要であって、しかもアキュムレータをシステムに取り付け時にスパナ等の工具による外乱から溶接したガスプラグを保護することができるベローズ型アキュムレータを提供する。【解決手段】有底筒型のシェル３の上部に固定されてハウジング２の一部を形成しているガスエンドカバー１１の六角ナット部１２に、圧力封入室７に高圧ガスを注入するガス注入口１３を閉塞するためのガスエンドカバー１１を嵌め込むための溝１５を設けることとした。【選択図】図１
2005282730.tif 000002
【特許請求の範囲】
【請求項１】
有底筒型のシェルの開放端部に六角ナット部と一体化したガスエンドカバーが固定されて形成されているハウジングの内部にベローズを含む作動部材を配置して前記ハウジングの内部が圧力を封入した圧力封入室と外部圧力を導入する圧力流入室とに仕切られたベローズ型アキュムレータにおいて、
前記圧力封入室に通じるガス注入口を閉塞するガスプラグが嵌る溝を前記ガスエンドカバーに形成したことを特徴とするベローズ型アキュムレータ。
【発明の詳細な説明】
【技術分野】
【０００１】
本発明は、アキュムレータに係り、更に詳しくは、六角ナットとガスエンドカバーを一体化したベローズ型アキュムレータに関するものである。
【背景技術】
【０００２】
従来は、図３に示すように、六角ナット部１０２とガスエンドカバー１０３を一体化したベローズ型アキュムレータ１０１において、六角ナット部１０２の中央に設けられているガス封入穴１０４から内部へガスを封入した後に、ガス封入穴１０４を閉塞するためガスプラグ１０５を六角ナット部１０２の上面にプロジェクション溶接していた。
【０００３】
しかし、上記構成のアキュムレータ１０１は、ガスプラグ１０５を六角ナット部１０２の上面に位置を決めて溶接するために位置決め冶具が必要となる。また、アキュムレータ１０１をシステムにスパナ等を用いて組付けるが、スパナ等の冶具による干渉等の外乱でガスプラグ１０５が脱落するおそれがあった。
【０００４】
なお、下記特許文献では、ピストン型アキュムレータについてではあるが、六角ナット部と一体となったガスエンドカバーに形成された溝にガスプラグを埋め込んだ図面が開示されているが、その目的・効果等については、何の記載も認められなかった。
【０００５】
【特許文献１】特開平０９−０７２３１０号公報
【発明の開示】
【発明が解決しようとする課題】
【０００６】
本発明は以上の点に鑑みて、六角ナット部と一体となったガスエンドカバーにガスプラグを溶接する場合にガスプラグの位置決め冶具が不要であって、しかもアキュムレータをシステムに取り付け時にスパナ等の工具による干渉等の外乱から溶接したガスプラグを保護することができるベローズ型アキュムレータを提供することを目的とする。
【課題を解決するための手段】
【０００７】
上記目的を達成するため、本発明の請求項１によるベローズ型アキュムレータは、有底筒型のシェルの開放端部に六角ナット部と一体化したガスエンドカバーが固定されて形成されているハウジングの内部にベローズを含む作動部材を配置して前記ハウジングの内部が圧力を封入した圧力封入室と外部圧力を導入する圧力流入室とに仕切られたベローズ型アキュムレータにおいて、前記圧力封入室に通じるガス注入口を閉塞するガスプラグが嵌る溝を前記ガスエンドカバーに形成したことを特徴とするものである。
【発明の効果】
【０００８】
本発明は、以下の効果を奏する。
【０００９】
上記構成を備えた本発明の請求項１によるベローズ型アキュムレータは、ガスエンドカバーと一体化した六角ナット部にガス注入口を閉塞するガスプラグが嵌る溝が形成されているので、ガス注入口をガスプラグで閉塞するときにガスプラグを該溝に嵌め込んでプロジェクション溶接することができ、従来使用していた位置決め冶具が不要になるとともに、ガスプラグを六角ナット部にプロジェクション溶接するときに溶接部のはみ出しおよびスパッタ飛散を防止することができる。
【００１０】
また、ガスプラグがガスエンドカバー内に形成された溝内に嵌め込まれているので、アキュムレータを製品に取り付けるときに使用するスパナ等工具による干渉等の外乱から保護されるので、ガスプラグが外乱により脱落するのを防止することができる。
【００１１】
更に、圧力封入室の容積を調整するために体積調整液を封入した場合、ガス注入口を上に向けたままの状態でガスプラグを六角ナット部に形成された溝に嵌め込んで溶接することができるので体積調整液の漏洩を防止することができる。すなわち、従来は、ガスプラグを位置決め冶具である電極の凹部に設定した後に溶接するのでガス注入口を下に向ける必要が生じ、体積調整液が溶接前の段階でガス注入口とガスプラグの界面から漏洩するという問題点が存在していたが、これを解消することができる。したがって、従来使用していた比重の重いスペーサの代替として比重の軽い体積調整液を使用することが出来るので、アキュムレータの軽量化を図ることができる。
【発明を実施するための最良の形態】
【００１２】
つぎに本発明の実施例を図面にしたがって説明する。
【００１３】
図１は、本発明の実施例に係るアキュムレータ１の縦断面を示しており、そのＡ部拡大図が図２に示されている。
【００１４】
当該実施例に係るアキュムレータ１は金属ベローズ型アキュムレータであって、以下のように構成されている。
【００１５】
有底筒型を呈するシェル３の開放端部にはガスエンドカバー１１が、有底端部にはポート部材２１が其々溶接により固定されてハウジング２が形成されており、該ハウジング２の内部に、ベローズ５および端部材６を備えた作動部材４が収容されている。ガスエンドカバー１１はシェル３に対して一体に成形されたものであっても良く、ポート部材２１もシェル３に対して一体に成形されたものであっても良い。
【００１６】
上記ベローズ５は、その一端部（固定端部）をガスエンドカバー１１に固定されるとともに他端部（遊動端部）を端部材６に固定されており、これによりベローズ５および端部材６よりなる作動部材４によってハウジング２の内部が作動部材４の内側の圧力封入室７と外側の圧力流入室８とに区分けされている。ベローズ５の他端部外周には、ベローズ５がシェル３の内周面に対してかじることがないよう、シェル３の内周面に摺動自在に接触する摺動部材９が取り付けられている。ベローズ５には、電着ベローズ、成形ベローズまたは溶接ベローズ等よりなる金属ベローズが用いられるが、アキュムレータ１の仕様や用途等によっては、その他の材質のベローズを用いることも可能である。端部材６はベローズ５に対して一体に成形されたものであっても良い。また、ベローズ５はその一端部がガスエンドカバー１１の外周縁部に設けられた内向きフランジ部１１ａに固定されている。
【００１７】
上記ハウジング２の一部を構成するポート部材２１に、当該アキュムレータ１を図示しない油圧システム側の圧力配管等に接続するためのねじ部２３を備えた筒状の取付部２２が設けられており、この取付部２２に、配管側の圧力流体を圧力流入室８に導入するための圧力流入口２４が設けられている。したがって、アキュムレータ１を取付部２２において配管側に接続し、この配管側の圧力流体を圧力流入口２４から圧力流入室８に導入する。
【００１８】
ポート部材２１の上面には、弾性シール２５を装着するための環状凹部状のシール装着部２６が設けられている。弾性シール２５の上面には、当該アキュムレータ１の作動時、作動部材４が伸張動作したときに当接して停止するための環状平面状のストッパ部２７が設けられている。
【００１９】
また、同じく上記ハウジング２の一部を構成するガスエンドカバー１１には、アキュムレータ１を油圧システム側の圧力配管等に接続固定するときに用いる六角ナット部１２が一体に設けられており、六角ナット部１２の中央には、圧力封入室７にガスを注入するガス注入口１３を上面から覆うように閉塞するガスプラグ１４を嵌めるための溝１５がガス注入口１３と同心で形成されている。溝１５の形状は、深さはガスプラグ１４の高さ以上とし、内径はガスプラグ１４の外径より僅かに大きく溶接アークが飛ばない程度とする。また、圧力封入室７の内部であってガスエンドカバー１１の内側には、圧力封入室７の容積を調整するためのスペーサ１６が組み込まれている。なお、圧力封入室７に封入されるガスの種類としては、窒素ガス等が好適である。
【００２０】
上記構成のアキュムレータ１においてガスを封入するには、ガスプラグ１４を固定する前にガス注入口１３から圧力封入室７に所定圧力のガスを注入し、注入後にガスプラグ１４を溝１５に嵌め込んでガス注入口１３を閉塞するように溶接して、所定圧力のガスを圧力封入室７に封入する。この場合において、ガス注入口１３を閉塞するガスプラグ１４は、ガス注入口１３と同心で形成されている溝１５に嵌め込んで溶接することができる。しかも、溝１５の内径がガスプラグ１４の外径より大きいので、ガスプラグ１４溶接時の溶融部のはみ出しおよびスパッタ飛散を防ぐとともに、溝１５の高さがガスプラグ１４の高さ以上であるので、ガスプラグ１４が溝１５から突き出ることがなく、アキュムレータ１を油圧システム側の圧力配管等に接続するときに使用するスパナ等の冶具による干渉等の外乱からガスプラグ１４を保護することができる。
【００２１】
また、位置決め冶具を使用せずにガスプラグ１４を六角ナット部１２に形成された溝１５に嵌め込んで溶接することができるので、ガス注入口１３を上に向けたままの状態で溶接することができ、圧力封入室７の容積を調整するためにスペーサ１６の代替として体積調整液を封入した場合、体積調整液の漏洩を防止することができる。
【図面の簡単な説明】
【００２２】
【図１】本発明の実施例に係るベローズ型アキュムレータの断面図
【図２】図１におけるＡ部拡大図
【図３】従来例に係るアキュムレータの拡大断面図
【符号の説明】
【００２３】
１  アキュムレータ
２  ハウジング
３  シェル
４  作動部材
５  ベローズ
６  端部材
７  圧力封入室
８  圧力流入室
９  摺動部材
１１  ガスエンドカバー
１１ａ  内向きフランジ部
１２  六角ナット部
１３  ガス注入口
１４  ガスプラグ
１５  溝
１６  スペーサ
２１  ポート部材
２２  取付部
２３  ねじ部
２４  圧力流入口
２５  弾性シール
２６  シール装着部
２７  ストッパ部
【図１】
2005282730.tif 000003
【図２】
2005282730.tif 000004
【図３】
2005282730.tif 000005